(57)【要約】      （修正有）【課題】携帯電話やスマートフォン、ゲーム機等の電子機器が発熱で過熱状態に陥った場合、簡単かつ確実にしかも安価なコストでクールダウンさせて電子機器の損傷を回避できる電子機器の冷却具を提供する。【解決手段】本考案は、液体が分散可能な液体分散シート２を電子機器１の発熱面に密着させた状態とし、液体が収容された容器４より液体分散シート２に液体を少量ずつ供給するようにしたことにより、液体を一気に液体分散シート２に薄く広く拡散させて、発熱面の広範囲を気化熱で一気に冷却して過熱による電子機器１の危機を適度に回避することができるようにしたものである。【選択図】図１
0003213632.tif 000002
【実用新案登録請求の範囲】
【請求項１】
液体３が分散可能な液体分散シート２を電子機器1の発熱面に密着させた状態とし、液体３が収容された容器４より液体分散シート２に液体３を少量ずつ供給するようにした電子機器の冷却具。
【請求項２】
液体分散シート２は装飾が施されたものである請求項１に記載の電子機器の冷却具。
【請求項３】
液体分散シート２が装着された枠体１０を介して電子機器１の発熱面に液体分散シート２を密着させるようにした請求項１又は２に記載の電子機器の冷却具。
【請求項４】
枠体１０には容器４を装着できるようにした請求項１乃至３の何れかに記載の電子機器の冷却具。
【請求項５】
容器４を液体分散シート２で形成された袋５に収容するようにした請求項１乃至４の何れかに記載の電子機器の冷却具。
【請求項６】
液体３が水である請求項１乃至５の何れかに記載の電子機器の冷却具。
【請求項７】
液体３に香りが付けられている請求項１乃至６に記載の電子機器の冷却具。
【考案の詳細な説明】
【技術分野】
【０００１】
本考案は、携帯電話やスマートフォン、ゲーム機器等の電子機器の冷却を簡単に行えるようにした電子機器の冷却具に関するものである。
【背景技術】
【０００２】
一般に携帯電話やスマートフォン、ゲーム機、タブレット等の電子機器は、使用中や充電中に過熱することがあり、その冷却は、例えば冷却ファン付きのケースに電子機器を収容したり（特許文献１参照）、特殊な冷却シートを貼り付けたりして対応したり（特許文献２参照）していた。また水をタオルなどに含ませて身体の発熱部に押し当てることも知られている。
【０００３】
しかし冷却ファン付きケースや、特殊な冷却シートはそれ自体高価であり、また湿らせた布を押し当てる場合は水を含ませ過ぎて電子機器を濡らせて損傷する場合があり、何れも問題点があった。
【０００４】
【特許文献１】特開2014-110580号公報
【特許文献２】国際公開W O 2 0 0 5 / 0 6 6 7 4 0号公報
【考案の開示】
【考案が解決しようとする課題】
【０００５】
本考案は、電子機器が発熱した際、簡単に実用上必要な程度素早く冷却することができる電子機器の冷却具を提供しようとするものである。
【課題を解決するための手段】
【０００６】
本考案の第１の特徴は、液体３が分散可能な液体分散シート２を電子機器1の発熱面に密着させた状態とし、液体３が収容された容器４より液体分散シート２に液体３を少量ずつ供給するようにしたことである。
【０００７】
ここで液体分散シート２は、一枚ものであっても、後記のような袋５様の状態であっても構わないが、必要に応じて、表面に一部あるいは全体にキャラクターや動植物の画像やイラスト、種々幾何学模様等の装飾を施して外観を向上させることができる。
【０００８】
本考案の次の特徴は、上記液体分散シート２を枠体１０に装着して、電子機器１の発熱面への着脱を容易に行えるようにしたことであり、更に次の特徴は、液体分散シート２を袋５として、容器４の保持を容易にしたことであり、更に第４は、液体３を水としたことである。これらの液体分散シート２の表面も装飾を施すことができる。
【０００９】
また本考案で用いる液体３は水が比熱の特性、コスト、その他無害性、入手等の点で極めて有利であるが、その他の蒸発性の液体、例えばアルコールやシンナー等任意のものを使用することができ、香水や逆にデオドラント特性のあるものを含ませても良い。
【考案の効果】
【００１０】
本考案は、先ず、第１の特徴に基づくと、液体３を直接掛けるのではなく、液体分散シート２に供給してそれをスマートフォン等の電子機器１の発熱面に密接させるものであるから、液体３は一気に液体分散シート２に薄く広く広がってその表面積を飛躍的に拡大させ、発熱面の広範囲を気化熱で一気に冷却して過熱による電子機器１の危機を適度に回避することができる。この場合、ファンを使ったもののように音がしたり、大幅に出っ張ったりすることもなく、保冷剤のように過冷による電子機器１内部の結露や、水に浸っての弊害発生の惧れも少ないと言える。
【００１１】
そしてこの液体分散シート２の外表面にキャラクターのデザインやその他のイラスト、画像、種々の模様や着色を施しておくと、外観に使用者の性別、年齢、好み等に対応した多様性を持たせることができる。
【００１２】
また、本考案の次の特徴のように液体分散シート２を枠体１０に保持して、枠体１０を介して液体分散シート２を電子機器１の発熱面に装着できるようにしておくと、液体分散シート２が一枚物であっても袋５状であっても、簡単に着脱が行えて便利である。枠体１０を用いる場合は、電子機器１の発熱面に接しない側に容器４を填め込みやクリップ等で着脱自在に装着できるようにしておくと一層便利である。
【００１３】
図６は枠体１０に液体分散シート２に加え、容器４も装着できるようにしたもので、枠体１０の一方の凹所１２に電子機器１の発熱面を保持し、他方の凹所１３に容器４を装着できるようにしたものであるが、その装着形態はこれに限定されず、任意のものを選定できる。
【００１４】
更に次の特徴のように、液体３を少量ずつ送出可能に収容した容器４を液体分散シート２で形成された袋５に収納し、容器４内の液体３を少量ずつ袋５の液体分散シート２に送出し、液体３を液体分散シート２に分散させるようにしておくと、布を水に浸す場合のように手を濡らせたり煩わしい操作もなく、電子機器１の発熱面に密接させて気化熱による冷却を簡単かつ確実に行うことができる。
【００１５】
また袋５を電子機器１の発熱面に密接保持できるようにしておくと、袋５に容器４を収容した状態で携行できて便利であり、いつでもどこでも、必要な時に直ぐに電子機器１の発熱面の冷却が簡単かつ確実に行えるものであり、更に、液体３を水としておくと、いつでもだれでも簡単に入手できて直ぐに対応できるとともに、維持コストが低廉となり、しかもアルコールに比して、瞬間的に蒸発して霧散せず、適度の時間、冷効果を維持させることができるとともに、一気に冷やし過ぎず、１,２℃乃至数度程度のマイルドな適度の冷却効果を程よい時間維持させることができる。
【００１６】
ここで液体３通常の水でも良いが、必要に応じて香水で香りを付けたり、逆にデオドラント成分を含ませておくと、良い香りを漂わせたり、悪臭を消去したりすることもできる。
【考案を実施するための最良の形態】
【００１７】
以下、本考案を、図に基づいて具体的に説明する。図１乃至４及び図６は本考案の幾つかの例を示すもので、袋５は水などの冷却用の液体３が収容される容器４を入れるもので、容器４は電子機器１の発熱面に密接できる扁平な形状に形成され、容器４のポンプ部６を押すとノズル７から液体３が少量ずつ袋５を構成する液体分散シート２に供給できるようにしている。液体分散シート２は、液体３が毛細管現象で広がるものであれば特に特殊なものではなく、メッシュ布や不織布等適宜選定でき、袋５は全体を液体分散シート２で構成しても良いが、少なくとも電子機器１の発熱面に密接する面は液体分散シート２で構成される。
【００１８】
ここで液体分散シート２は袋５様の場合であっても、一枚ものの場合でも、露出面には適宜キャラクターや人物、動植物等のイラストや画像、幾何学模様等種々の模様や着色等の装飾を施すこともできる。
【００１９】
また袋５或いは一枚物の液体分散シート２は電子機器１の発熱面に密接した状態で保持できる手段８、例えば紐やゴムリング等の保持バンド、吸着体、クリップ等を施すことができる。容器４は専用冷却液を封入したものでも良いが、水等の液体３を適宜補給できるようにしても良い。液体３の供給は、水滴でも良いし、霧（ミスト）状態でも構わない。
【００２０】
図３は袋５に代えて面状の液体分散シート２を電子機器１と、液体３が収容された容器４との間に介在させ、液体分散シート２を電子機器１の過熱面に密接させ、液体３を少量ずつ供給できるようにしたものである。この場合は、液体分散シート２は容器４に貼り付けておいても構わない。
【００２１】
また上記のような袋５とした或いは一枚もの様の液体分散シート２は、簡便的にはゴムバンド等で電子機器１の発熱面に装着できるが、図４は更に電子機器１に填めて装着可能な枠体１０の開口１１（メッシュ状でも良い）に面状の液体分散シート２を装着したもので、この枠体１０を電子機器１にカバーのように被せて装着して使用するものである。そして常時或いは必要時に液体３が収容された容器４を密着させ、電子機器１の過熱時に液体３を少量ずつ液体分散シート２に供給するものである。容器４を外した状態では、液体分散シート２付きの枠体１０は電子機器１の保護用のケースやカバーとしても使用できる。
【００２２】
このようにして構成されたものは、過熱した電子機器１の発熱面に密接した状態で装着し、ポンプ部６を押してノズル７より少量ずつ液体３を袋５の電子機器１の発熱面に密接する面に供給する（図５（ａ）参照）。供給された液体３は、その場に止まらず、直ぐに液体分散シート２の繊維の粗い目に沿って毛細管現象により急速に広く拡散して広がり、多数の細かい微細粒状態に分化し、表面積が大幅に拡大し、広い面で電子機器１の発熱面に密接することになる（図
５（ｂ）参照）。そして直ちに蒸発して、その気化熱により、電子機器１の発熱面を適度に冷却し、一時的な過熱状態を回避することができる。
【００２３】
その具体的データを示すと、下記の通りとなる。水の気化熱は0.58Ｋｃａｌ/ｍｌ、人体の比熱は約０．８３と仮定すると、70ｋｇの人の熱量は70×0.83＝58.1Ｋｃａｌであり、70ｋｇの体重の人が1ｍｌの気化熱で下がる温度は、0.58÷58.1＝０．００９９８℃（約０．０１℃）となるので、70ｋｇの人の体温を１℃下げるには、1÷0.01＝100ｍｌの水分（汗）が必要となる。
【００２４】
一方、スマートフォン（ポリカーボネート主体）の比熱を１．２仮定とすると、例えば０．１２９ｋｇのスマートフォンでは、発熱量は0.129×1.2＝0.1548Ｋｃａｌであり、この場合であれば、１℃下げるには、１÷３．７＝0.27ｍｌの水が必要になる。カード型の容器４の１回の噴霧量が0.1ｍｌであれば、３回程度ポンプ部６をプッシュすれば１℃程度下げられ、電子機器１の過熱を回避できることになる。
【産業上の利用可能性】
【００２５】
本考案は、携帯電話やスマートフォン、ゲーム機、タブレット等の電子機器１の過熱のクールダウンに適用が可能であって、充電時やアプリの加重使用時等に簡単に適度の温度に下げて電子機器１を発熱による損傷を防止できるものであり、しかも嵩張らず、携行して必要時に電子機器１に装着して対応できるものである。また液体３は水が安価でどこでも入手できて好ましいが、香水のような良い香りの成分を含ませてもお洒落である。
【００２６】
電子機器１の過熱現象は、携帯電話やスマートフォン等、カバーを被せて使う場合には更に生じやすく、そのような場合でも、カバーの外周面に当接させても十分に対応できる。
【００２７】
また液体分散シート２にイラストや着色等の模様を施しておくと、性別、年齢、用途等に応じた多様の好みに対応することができる。
【図面の簡単な説明】
【００２８】
【図１】本考案の一実施例の分解斜視図である。
【図２】同上の一部を断面とした側面図である。
【図３】同上の一枚物の液体分散シートを使用した例の断面図。
【図４】同上の一枚物の液体分散シートをホルダーに装着した例の斜視図。
【図５】同上の作用説明図で、（ａ）はノズルより液体を液体分散シートに供給した直後の状態、（ｂ）はそれが急速に液体分散シートに拡散する状態を示す。
【図６】同上の更に他の実施例の概略断面説明図。
【００２９】
図中１は電子機器、２は液体分散シート、３は液体、４は容器、５は袋、１０は枠体である。
【図１】
0003213632.tif 000003
【図２】
0003213632.tif 000004
【図３】
0003213632.tif 000005
【図４】
0003213632.tif 000006
【図５】
0003213632.tif 000007
【図６】
0003213632.tif 000008
【手続補正書】
【提出日】平成29年9月14日(2017.9.14)
【手続補正１】
【補正対象書類名】実用新案登録請求の範囲
【補正対象項目名】請求項４
【補正方法】変更
【補正の内容】
【請求項４】
枠体１０には容器４を装着できるようにした請求項３に記載の電子機器の冷却具。